(57)【特許請求の範囲】
【請求項１】
ＩＰネットワークに接続されると共に、公衆電話網に接続されたゲート装置と、公衆電話網に接続され、前記ゲート装置のＩＰアドレスを管理する管理装置とを有する音声通信ゲート装置のアドレス管理システムにおいて、
前記管理装置が、定期的に前記ゲート装置の現在アドレスおよび変更後アドレスを公衆電話網を介して前記ゲート装置へ送信し、
前記ゲート装置が現在アドレスに代えて、前記管理装置から受けた変更後アドレスを内部に登録すると共に、登録したことを公衆電話網を介して前記管理装置へ通知し、
前記管理装置が前記ゲート装置の電話番号および前記変更後アドレスを内部に登録する
ことを特徴とする音声通信ゲート装置のアドレス管理方法。
【請求項２】
前記ゲート装置は、前記管理装置から変更後アドレス受けた時、該変更後アドレス通知に係る電話番号と、内部に予め記憶されている前記管理装置の電話番号とを照合して前記管理装置の認証を行うことを特徴とする請求項１に記載の音声通信ゲート装置のアドレス管理方法。
【請求項３】
ＩＰネットワークに接続されると共に、公衆電話網に接続されたゲート装置のＩＰアドレスを管理する音声通信ゲート装置のアドレス管理装置において、
前記ゲート装置の起動時に前記ゲート装置から公衆電話網を介して送信される新規アドレス要求を受信する受信手段と、
前記新規アドレス要求を受け、内部の記憶部に記憶されている新規アドレスを公衆電話網を介して前記ゲート装置へ送信する新規アドレス送信手段と、
定期的に前記記憶部内に予め登録されているアドレスを読み出し、変換後アドレスとして公衆電話網を介して前記ゲート装置へ送信する変更後アドレス送信手段と、
を具備することを特徴とする音声通信ゲート装置のアドレス管理装置。
【請求項４】
前記ゲート装置からの新規アドレス要求を受けた時、該要求に係る電話番号と、内部に予め記憶されている前記ゲート装置の電話番号とを照合して前記ゲート装置の認証を行うことを特徴とする請求項３に記載の音声通信ゲート装置のアドレス管理装置。
【請求項５】
ＩＰネットワークに接続されると共に、公衆電話網に接続されたゲート装置のＩＰアドレスを管理する音声通信ゲート装置のアドレス管理装置において用いられるプログラムであって、
コンピュータに、
前記ゲート装置の起動時に前記ゲート装置から公衆電話網を介して送信される新規アドレス要求を受信する受信処理と、
前記新規アドレス要求を受け、内部の記憶部に記憶されている新規アドレスを公衆電話網を介して前記ゲート装置へ送信する新規アドレス送信処理と、
定期的に前記記憶部内に予め登録されているアドレスを読み出し、変換後アドレスとして公衆電話網を介して前記ゲート装置へ送信する変更後アドレス送信処理と、
を実行させるためのプログラム。
【請求項６】
前記ゲート装置からの新規アドレス要求を受けた時、該要求に係る電話番号と、内部に予め記憶されている前記ゲート装置の電話番号とを照合して前記ゲート装置の認証を行う処理を有することを特徴とする請求項５に記載のプログラム。
【発明の詳細な説明】
【０００１】
【発明の属する技術分野】
この発明は、インターネット等のＩＰネットワークを用いて音声通信を行う際に使用される音声通信ゲート装置に係り、特に、セキュリティの向上を図った音声通信ゲート装置のアドレス管理方法および管理装置並びにプログラムに関する。
【０００２】
【従来の技術】
近年、インターネットなどのＩＰネットワークにおいて音声通信を可能とするＶｏＩＰ（Voice over IP）が普及しつつある。図４はこの発明の出願人が以前に出願したＶｏＩＰによる音声通信方法（特願2002-311337）を実施する音声通信システムの構成を示すブロック図である。この図に示すシステムにおいては、ネットワークとして、呼制御信号を伝送する公衆電話網１と、ＶｏＩＰのベアラ信号（音声信号）を伝送するＩＰネットワーク２が使用される。公衆電話網１には、従来通りユーザの電話機が収容されるが、呼制御信号のみを処理し、通話路（Speech Path;SP）の制御は行わないＳＰレス交換機３、４が接続される。本交換機３，４は、信号制御上、従来の交換機と同様に、ユーザ側はQ.931、交換機間はＩＳＵＰ（ISDN User Part）プロトコルを処理する。
【０００３】
ゲート装置５、６は、ユーザ側に設置される装置であり、ゲート装置５の内部構成を図５に示す。図において、Q.931コントローラ１１は、ＳＰレス交換機３との間のQ.931プロトコルを終端し、▲１▼SIP Proxy１２と連携したQ.931−SIPのプロトコル変換、▲２▼電話番−プライベートアドレス変換表１３を参照した電話番とプライベートアドレス変換、▲３▼Ｆ／Ｗ（ファイアウオール）１４の制御を行う。
【０００４】
SIP Proxy１２は、ＶｏＩＰ電話機７（図４）とのSIPプロトコルを終端し、Q.931コントローラ１１と連携してネットワーク側とQ.931プロトコルによる呼制御を行う。Ｆ／Ｗ１４は、Q.931コントローラ１１からの指示により、ポートの開閉や、プライベートアドレスとＩＰネットワーク２のアドレスとの変換を行う。アドレス変換は、１個のＩＰネットワークアドレスに、ｎ個のプライベートアドレスがマッピングできるＮＡＰＴ（Network Address Port Translation）機能（または、IPマスカレード機能）を有する。
【０００５】
ところで、上述したシステムにおけるゲート装置は、一般にユーザ宅などに設置されることから、ゲート装置は、常時起動でManaged-IPネットワークに接続されており、ゲート装置にManaged-IPネットワークのIPアドレスが付与されている。このIPアドレスが固定的であると、Managed-IPネットワークに接続される悪意者同士が、ゲート装置を改造するなどして、互いのIPアドレスを直接指定することにより、キャリアの非制御下で不正なダイレクト通信を行う可能性が高まる。
また、悪意者が、パケットモニタなどにより、第三者のIPアドレスを入手できた場合は、第三者に対しDos攻撃も可能となる。特願2002-311337の音声通信方法では、通常はゲート装置のポートが閉じており、通話するのみポートが開く方法であるため、Dos攻撃の危険性をある程度回避可能だが、さらなるセキュリティの向上が望まれる。
なお、従来技術として特許文献１〜３が知られている。
【０００６】
【特許文献１】
特開平6-70354号公報
【特許文献２】
特開平11-53669号公報
【特許文献３】
特開2000-270026号公報
【０００７】
【発明が解決しようとする課題】
本発明は、上記の事情に鑑みなされたもので、その目的は、ネットワーク内にアドレス管理装置を配備し、その管理装置から定期的に音声通信ゲート装置のIPアドレス変更を行うことにより、セキュリティの高いVoIP通信を実現することができる音声通信ゲート装置のアドレス管理方法および管理装置並びにプログラムを提供することにある。
【００１０】
【課題を解決するための手段】
請求項１に記載の発明は、ＩＰネットワークに接続されると共に、公衆電話網に接続されたゲート装置と、公衆電話網に接続され、前記ゲート装置のＩＰアドレスを管理する管理装置とを有する音声通信ゲート装置のアドレス管理システムにおいて、前記管理装置が、定期的に前記ゲート装置の現在アドレスおよび変更後アドレスを公衆電話網を介して前記ゲート装置へ送信し、前記ゲート装置が現在アドレスに代えて、前記管理装置から受けた変更後アドレスを内部に登録すると共に、登録したことを公衆電話網を介して前記管理装置へ通知し、前記管理装置が前記ゲート装置の電話番号および前記変更後アドレスを内部に登録することを特徴とする音声通信ゲート装置のアドレス管理方法である。
【００１１】
請求項２に記載の発明は、請求項１に記載の音声通信ゲート装置のアドレス管理方法において、前記ゲート装置は、前記管理装置から変更後アドレス受けた時、該変更後アドレス通知に係る電話番号と、内部に予め記憶されている前記管理装置の電話番号とを照合して前記管理装置の認証を行うことを特徴とする。
【００１２】
請求項３に記載の発明は、ＩＰネットワークに接続されると共に、公衆電話網に接続されたゲート装置のＩＰアドレスを管理する音声通信ゲート装置のアドレス管理装置において、前記ゲート装置の起動時に前記ゲート装置から公衆電話網を介して送信される新規アドレス要求を受信する受信手段と、前記新規アドレス要求を受け、内部の記憶部に記憶されている新規アドレスを公衆電話網を介して前記ゲート装置へ送信する新規アドレス送信手段と、定期的に前記記憶部内に予め登録されているアドレスを読み出し、変換後アドレスとして公衆電話網を介して前記ゲート装置へ送信する変更後アドレス送信手段とを具備することを特徴とする音声通信ゲート装置のアドレス管理装置である。
【００１３】
請求項４に記載の発明は、請求項３に記載の音声通信ゲート装置のアドレス管理装置において、前記ゲート装置からの新規アドレス要求を受けた時、該要求に係る電話番号と、内部に予め記憶されている前記ゲート装置の電話番号とを照合して前記ゲート装置の認証を行うことを特徴とする。
【００１４】
請求項５に記載の発明は、ＩＰネットワークに接続されると共に、公衆電話網に接続されたゲート装置のＩＰアドレスを管理する音声通信ゲート装置のアドレス管理装置において用いられるプログラムであって、コンピュータに、前記ゲート装置の起動時に前記ゲート装置から公衆電話網を介して送信される新規アドレス要求を受信する受信処理と、前記新規アドレス要求を受け、内部の記憶部に記憶されている新規アドレスを公衆電話網を介して前記ゲート装置へ送信する新規アドレス送信処理と、定期的に前記記憶部内に予め登録されているアドレスを読み出し、変換後アドレスとして公衆電話網を介して前記ゲート装置へ送信する変更後アドレス送信処理とを実行させるためのプログラムである。
【００１５】
請求項６に記載の発明は、請求項５に記載のプログラムにおいて、前記ゲート装置からの新規アドレス要求を受けた時、該要求に係る電話番号と、内部に予め記憶されている前記ゲート装置の電話番号とを照合して前記ゲート装置の認証を行う処理を有することを特徴とする。
【００１６】
【発明の実施の形態】
以下、図面を参照し、この発明の実施の形態について説明する。図１はこの発明の一実施の形態によるアドレス管理方法を適用した音声通信システムの構成を示すブロック図である。この図に示す管理システムは、図４に示す音声通信システムに本発明のアドレス管理方法を適用して構成したシステムである。
【００１７】
図において、管理装置Ｍは、コントローラ２１、ＳＮＭＰのマネージャ２２、Ｆ／Ｗ（NAPT）２３およびＤＮＳ（Domain Name Server）２４、ＤＨＣＰ(Dynamic host configuration protocol)サーバ２８により構成されている。コントローラ２１は、ＳＰレス交換機２５との間のQ.931プロトコルを終端し、▲１▼マネージャ２２と連携したQ.931−ＳＮＭＰ（Simple Network Management Protocol）のプロトコル変換、▲２▼Ｆ／Ｗ２３の制御を行う。マネージャ２２は、コントローラ２１と連携したゲート装置ＡのIPアドレスの変更指示、ＤＨＣＰサーバ２８及びＤＮＳ２４と連携したゲート装置ＡのIPアドレス変更管理を行う。IPアドレスの変更には、内部的に装置管理のプロトコルであるＳＮＭＰを使用する。
【００１８】
ここで、ＳＮＭＰとは、ＩＰネットワークにおける装置のリモート管理に使用されるプロトコルであり、各管理対象装置にＭＩＢ（Management Information Base）と呼ばれる仮想的な管理データを設け、これをマネージャである管理サーバが、取得、操作することによって装置のリモート管理を行う。この場合、管理対象装置のＭＩＢを処理する機能をエージェントと呼ぶ。ＭＩＢは、装置種別によって標準化されており、また特殊なデータは、装置ベンダ毎の拡張が行われている。ＳＮＭＰは、対応製品も多く低コストで装置管理が実現できる利点がある。なお、本実施形態では、このように標準的なプロトコルを使用することで、市販のＳＮＭＰ、ＤＨＣＰサーバ及びＤＮＳ実装製品の利用によるシステムコストの削減が可能となる。
【００１９】
Ｆ／Ｗ（NAPT）２３は、コントローラ２１からの指示により、ポートの開閉や、プライベートアドレスとＩＰネットワーク２側のアドレスとの変換を行う。アドレス変換は、１個のＩＰネットワークアドレスに、ｎ個のプライベートアドレスがマッピングできるＮＡＰＴ機能（または、IPマスカレード機能）を有する。ＤＮＳ２４はユーザの電話番号とゲート装置のＩＰアドレスの対応表を管理する。ＤＨＣＰサーバ２８は、新規IPアドレスの払い出しおよび変更を実現するため、各ゲート装置のIPアドレス管理を行う。
【００２０】
また、ゲート装置Ａには、図４において説明したQ.931コントローラ１１、SIP Proxy１２、Ｆ／Ｗ１４が設けられていると共に、ＳＮＭＰのエージェント２６が設けられている。
【００２１】
次に、上述したシステムの動作を図２、図３のシーケンス図を参照して説明する。
図２は、ゲート装置Ａの起動時において、新規にIPアドレスを取得するため、ゲート装置Ａから管理装置Ｍのマネージャ２２に対するアドレス取得のシーケンスである。また、図３は、図２によりIPアドレス新規取得後、よりセキュリティを向上させるため、管理装置Ｍのマネージャ２２からゲート装置Ａのエージェント２６に対するアドレス変更のシーケンスである。
【００２２】
最初に、図２および図３で使用している記号を説明する。
AM：管理装置Ｍのマネージャ２２のプライベートIPアドレス
AC：管理装置Ｍのコントローラ２１のプライベートIPアドレス
GA：ゲート装置Ａの新規IPアドレス、
GC：ゲート装置Ａの変更後のIPアドレス
AA：ゲート装置Ａのエージェント２６のプライベートIPアドレス
#A1：ゲート装置Ａの電話番号
#M1：管理装置Ｍの電話番号
「」：ＳＮＭＰ信号
[]：ＤＨＣＰ信号
{}：ＤＮＳ信号
＜＞：Q.931信号
〔〕：本実施形態に固有な内部信号
【００２３】
次に、図２の新規アドレス払出しのシーケンスを以下のSTEP1からSTEP13によって説明する。
STBP1:ゲート装置Ａ起動時、エージェント２６から、新規にアドレスを付与する旨のコマンド〔New〕を含む「TRAP」情報をQ.931コントローラ１１に送出する。
STBP2:Q.931CCは、「TRAP」、〔New〕、および、セッションを識別するためのCa11-IDの値であるCidを回線非対応UUI(UUI;User-User information)の＜REGISTER＞内のファシリティ情報などに設定し、ＳＰレス交換機２５に送出する。ここで、Cidはアドレス取得の通信のセッションをユニークに識別するための情報であり、ゲート装置Ａの電話番号である#A1を用いる。
【００２４】
STEP3;ＳＰレス交換機２５は、共通線信号網SS#7ネットワークを経由して管理装置Ｍに＜FACILITY＞を送信し、正しい送信が行われた場合はゲート装置ＡのQ.931コントローラ１１に＜REL COMP＞を返信する。
STEP4：＜FACILITY＞を受けた管理装置Ｍのコントローラ２１は、正当な新規アドレス払出しの要求であるか確認するため、ゲート装置Ａの発電話番号#A1が、予め管理装置Ｍ内に登録されているゲート装置Ａの電話番号であるか照合する。照合OKであれば、マネージャ２２のアドレスAMに、〔New〕、#A1を含む「TRAP」を送信する。マネージャ２２は、「TRAP」に含まれる#A1より、ＤＨＣＰサーバ２８に対し#A1を含む[DISCOVER]を送出する。次に、マネージャ２２は、この応答としてＤＨＣＰサーバからゲート装置ＡのGA、#A1を含む[OFFER]を受信し、コントローラ２１にゲート装置Ａ（#A1）のGAを新規に付与するための「SET Request」を返信する。
【００２５】
STEP5:管理装置Ｍのコントローラ２１は、マネージャ２２から「SET Request」を受信した後、ゲート装置ＡのGA、〔New〕を含む「SET Request」及びCidを、回線非対応UUIの＜RHGISTBR＞内のファシリティ情報などに設定し、ＳＰレス交換機２５に送出する。
STEP6:ＳＰレス交換機２５は、共通線信号網SS#7ネットワークを経由してゲート装置Ａに＜FACILITY＞を送信し、正しい送信が行われた場合は管理装置Ｍのコントローラ２１に＜REL COMP＞を返信する。
【００２６】
STEP7;＜FACILITY＞を受けたゲート装置ＡのQ.931コントローラ１１は、正当な管理装置Ｍの要求であるか否か確認するため、管理装置Ｍの発電話番号#M1が、予め自ゲート装置Ａ内に登録されている管理装置Ｍの電話番号であるか照合する。そして、照合OKであれば、エージェント２６のアドレスAAにGA、〔New〕を含む「SET Request」を送信する。
STEP8:エージェント２６は、Q.931コントローラ１１経由でＦ／Ｗ１４に対し、GAを新規登録するため〔New〕を送信する。
【００２７】
STEP9:Ｆ／Ｗ１４は、ゲート装置Ａに、GAを新規アドレスとして登録し、Q.931コントローラ２１経由でエージェント２６のアドレスAAに〔登録完了通知OK〕を返信する。
STEP10:エージェント２６は、Q.931コントローラ１１に対しGA、〔New〕を含む「GET Response」を送信する。Q.931コントローラ１１は、「GET Response」及びCidを回線非対応UUIの＜RBGISTBR＞内のファシリティ情報などに設定し、ＳＰレス交換機２５に送出する。
【００２８】
STEP11:ＳＰレス交換機２５は、共通線信号網SS#7ネットワークを経由して管理装置Ｍに＜FACILITY＞を送信し、正しい送信が行われた場合はゲート装置ＡのQ.931コントローラ１１に＜REL COMP＞を返信する。
STEP12:＜FACILITY＞を受けた管理装置Ｍのコントコーラ２１は、ファシリティ情報を確認し、マネージャ２２のアドレスAMに「GET Response」を送信する。マネージャ２２は、「GET Response」に含まれる#A1、GAを確認し、ＤＨＣＰサーバ２８に対し#A1、GAを含む「REQUEST」を送出しＤＨＣＰサーバ２８にGAを正規に払い出したことを伝える。
【００２９】
STBP13:[REQUEST]を受けたＤＨＣＰサーバ２８は、電話番号とIPアドレスを管理するＤＮＳ２４に、#A1、GAを含む{NSUPDATE}を送出し、ゲート装置Ａの#A1とGAを登録する。登録が終了したら、ＤＮＳ２４から、ＤＨＣＰサーバ２８に完了OKを返信する。OKを受信したＤＨＣＰサーバ２８は、マネージャ２２に対してACKを返信する。
STBP14;マネージャ２２がＤＨＣＰサーバ２８よりACKを受け、シーケンスは完了となる。
【００３０】
次に、図３のアドレス変更のシーケンスを以下のSTEP1からSTEP12で説明する。
STEP1;管理装置Ｍのマネージャ２２は、ゲート装置ＡのIPアドレスを変更するため、ＤＮＳ２４に{NSLOOKUP}を送信し、ＤＮＳ２４からゲート装置Ａのアドレス情報を取得する。なお、本変更は、定期的に行うものとし、その周期はセキュリティのため出来る限り短くするものとする。
STEP2:マネージャ２２は、ＤＨＣＰサーバ２８に対し#A1を含む[DISCOVBR]を送出し、ＤＨＣＰサーバ２８からゲート装置Ａの変更後のアドレスGC、#A1を含む[OFFBR]を受信し、コントローラ２１のアドレスACへゲート装置Ａ(#A1)のGAからGCに変更するためのコマンド〔Renew〕、#A1、GA、及びＧＣを含む「SET Request」を送信する。
【００３１】
STBP3:管理装置Ｍのコントローラ２１は、マネージャ２２から「SET Request」を受信した後、〔Renew〕、ゲート装置ＡのGA、変更後のGCを含む「SET Request」及びCidを回線非対応UUIの＜REGISTER＞内のファシリティ情報などに設定し、ＳＰレス交換機２５へ送出する。
STEP4:ＳＰレス交換機２５は、共通線信号網SS#7ネットワークを経由してゲート装置Ａに＜FACILTY＞を送信し、正しい送信が行われた場合は管理装置Ｍのコントローラ２１に＜REL COMP＞を返信する。
【００３２】
STEP5;＜FACILITY＞を受けたゲート装置ＡのQ.931コントローラ１１は、管理装置Ｍの要求であるか確認するため、管理装置Ｍの発電話番号#M1と予め自ゲート装置Ａ内に登録されている管理装置Ｍの電話番号と照合する。照合OKであれば、ファシリティ情報を確認し、エージェント２６のアドレスAAにGA及びGCを含む「SET Request」を送信する。
STEP6;エージェント２６は、Q.931コントローラ１１に対し、GAからGCに変更するため〔Renew〕を送信する。
【００３３】
STEP7;Q.931コントローラ１１は、全チャネルについて空塞状況を監視し、全チャネルが未使用状状態になった段階で、Ｆ／Ｗ１４に対し〔Renew〕を送信し、GAからGCに変更する旨の指示を出す。変更が完了したら、Ｆ／Ｗ１４から、Q.931コントローラ１１経由でエージェント２６のアドレスAAに完了OKを返信する。
STEP8:エージェント２６は、Q.931コントローラ１１に対し〔Renew〕、古いGA、新しいGCを含む「GET  Response」を送信する。Q.931コントローラ１１は、〔Renew〕、GA、GCを含む「GET Response」及びCidを回線非対応UUIの＜REGISTER＞内のファシリティ情報などに設定し、ＳＰレス交換機２５に送出する。
【００３４】
STEP9:ＳＰレス交換機２５は、共通線信号網SS#7ネットワークを経由して管理装置Ｍに＜FACILITY＞を送信し、正しい送信が行われた場合はゲート装置ＡのQ.931コントローラ２１に＜RBL COMP＞を返信する。
STEP10:＜FACILITY＞を受けた管理装置Ｍのコントコーラ２１は、ファシリティ情報を確認し、マネージャ２２のアドレスAMに「GET Response」を送信する。マネージャは、「GET Response」に含まれる#A1を確認し、ＤＨＣＰサーバ２８に対し#A1、GCを含む[REQUEST]を送出しＤＨＣＰサーバ２８にGCを正規に払い出したことを伝える。
【００３５】
STEP11;[RBQUEST]を受けたＤＨＣＰサーバ２８は、電話番号とIPアドレスを管理するＤＮＳ２４に、#A1、GCを含む{NSUPDATE}を送出し、ゲート装置Ａの#A1がGAからGCに変更となったことを登録する。登録が終了したら、ＤＮＳ２４から、ＤＨＣＰサーバ２８に完了OKを返信する。OKを受信したＤＨＣＰサーバ２８は、マネージャ２２に対してACKを返信する。
STEP12:マネージャ２２は、古いGAを含む[RELEASE]をＤＨＣＰサーバ２８に送信し、正規にGAは未使用となったことを伝える。 ＤＨＣＰサーバ２８により、GAを解放後、マネージャ２２はＤＨＣＰサーバ２８からACKを受け、シーケンスは完了となる。
【００３６】
上記シーケンスの実施後、ゲート装置Ａの改造などにより、虚偽のアドレス変更(実際にIPアドレスを変更せずに、変更したふりをして不正な通信を行う等)を抑止するために、IPアドレスが正しく変更されたか確認する必要があるが、これについては、上記シーケンス終了後、特願2003-38256「音声通信ゲート装置の管理方法」に示されるシーケンスを適用することにより実現可能である。上記のシーケンスは、あくまで動作例であり、IPアドレスの払い出し兄などにバリエーションはあり得る。このため、本発明の主旨を逸脱しない範囲の変更は可能である。
【００３７】
以上がこの発明の実施形態の詳細である。従来の装置のようにIPアドレスが固定的だと、Managed-IPネットワークに接続される悪意者同士が、ゲート装置を改造するなどして、互いのIPアドレスを直接指定することにより、キャリアの非制御下で不正なダイレクト通信を行う可能性が高まる。また、悪意者が、第三者のIPアドレスを入手できた場合は、第３者に対しDos攻撃も可能となる。しかし、上記実施形態においては、ゲート装置のIPアドレスを、Q.931ルートで定期的に変更することにより、上記のセキュリティ問題を解決しており、よりセキュリティの高いVoIP通信が可能となる。
【００３８】
【効果の説明】
以上、説明したように、本発明によれば、音声通信ゲート装置に関して安全かつ確実なIPアドレスの設定および定期的な変更が実現でき、セキュリティの高いVoIP通信が可能となる効果が得られる。
【図面の簡単な説明】
【図１】  この発明の一実施形態による音声通信ゲート装置のアドレス管理方法を適用したシステムの構成を示すブロック図である。
【図２】  同実施形態の動作を説明するためのシーケンス図である。
【図３】  同実施形態の動作を説明するためのシーケンス図である。
【図４】  ＶｏＩＰ通信システムの構成例を示すブロック図である。
【図５】  図４におけるゲート装置５の詳細を示すブロック図である。
【符号の説明】
１…公衆電話網
２…ＩＰネットワーク
７…ＶｏＩＰ電話機
１１…Q.931コントローラ
１２…SIP Proxy
１４…Ｆ／Ｗ
２１…コントローラ
２２…マネージャ
２３…Ｆ／Ｗ
２４…ＤＮＳ
２６…エージェント
２８…ＤＨＣＰサーバ
Ａ…ゲート装置
Ｍ…管理装置
【図１】
0004028421.tif 000002
【図２】
0004028421.tif 000003
【図３】
0004028421.tif 000004
【図４】
0004028421.tif 000005
【図５】
0004028421.tif 000006